(57)【要約】【課題】様々な待ち受けアプリケーションの構成要素を選択できるサーバを提供する。【解決手段】時計アプリケーションの構成要素となる文字盤Ｆ・時計針Ｈ・ケースＣ・アラーム音・アラーム音拡声時のエフェクト選択、及び文字盤Ｆの背景となる画像Ｉを操作部２０８への操作で受け付け、その選択結果をサービスサーバ１に通知するアプリケーションである待ち受けアプリケーション作成アプリケーションを携帯電話機２に送信し、待ち受けアプリケーション作成アプリケーションは時計アプリケーションの構成要素及び画像を選択させてその結果をサービスサーバ１に通知し、サービスサーバ１は選択された構成要素及び画像に対応した時計アプリケーションを携帯電話機２に送信する。【選択図】  図４
2005260688.tif 000002
【特許請求の範囲】
【請求項１】
携帯電話機に待ち受けアプリケーションを提供するサーバであって、
前記待ち受けアプリケーションに使用する画像のアップロードを受け付ける画像受付手段と、
前記待ち受けアプリケーションを構成する構成要素を選択させる選択入力画面を前記携帯電話機に表示させ、前記選択入力画面への選択入力操作に基づいて前記構成要素の選択結果を受け付ける構成要素選択手段と、
前記受け付けた画像及び前記構成要素の選択結果に基づいて固有の待ち受けアプリケーションを前記携帯電話機に送信する送信手段と、
を備える待ち受けアプリケーション提供サーバ。
【請求項２】
前記送信手段は前記受け付けた画像及び前記構成要素の選択結果を表象するデータを前記携帯電話機に送信する請求項１に記載の待ち受けアプリケーション提供サーバ。
【請求項３】
前記データは画像データ、グラフィックデータ又は音声データを含む請求項２に記載の待ち受けアプリケーション提供サーバ。
【請求項４】
前記固有の待ち受けアプリケーションの送信の可否を確認する入力を受け付ける確認画面を前記携帯電話機に表示させ、前記確認画面への確認入力操作に基づいて前記送信の可否を受け付ける送信確認手段をさらに備え、
前記送信手段は前記確認画面への確認入力結果に基づいて前記固有の待ち受けアプリケーションを前記携帯電話機に送信する請求項２又は３に記載の待ち受けアプリケーション提供サーバ。
【発明の詳細な説明】
【技術分野】
【０００１】
本発明は携帯電話機の待ち受けアプリケーション提供サーバに係り、特に携帯電話機から待ち受けアプリケーションの構成要素を選択できる待ち受けアプリケーション提供サーバに関する。
【背景技術】
【０００２】
近年、画像を利用するアプリケーションを携帯電話機に配信するサービスが普及しつつある。例えば、特許文献１によると、パソコンからゲームプログラムの種類を指定する情報と、そのゲームに用いる画像をサーバに送信し、サーバは指定されたゲームとリサイズした画像とを携帯電話機に送信する。こうすることで所望の画像を用いたゲームを利用者の携帯電話機で楽しむことができる。
【特許文献１】特開２００３−１０５５３号公報
【発明の開示】
【発明が解決しようとする課題】
【０００３】
しかし、特許文献１の技術の場合、所望の画像をゲームに用いることはできるが、待ち受けアプリケーションの構成要素を利用者が任意に選択できる技術は具体的に開示されていない。本発明はこのような事情に鑑みてなされたもので、様々な待ち受けアプリケーションの構成要素を選択できるサーバを提供することを目的とする。
【課題を解決するための手段】
【０００４】
上述の課題を解決するため、請求項１に係る発明は、携帯電話機に待ち受けアプリケーションを提供するサーバであって、前記待ち受けアプリケーションに使用する画像のアップロードを受け付ける画像受付手段と、前記待ち受けアプリケーションを構成する構成要素を選択させる選択入力画面を前記携帯電話機に表示させ、前記選択入力画面への選択入力操作に基づいて前記構成要素の選択結果を受け付ける構成要素選択手段と、前記受け付けた画像及び前記構成要素の選択結果に基づいて固有の待ち受けアプリケーションを前記携帯電話機に送信する送信手段と、を備えることを特徴とする。
【０００５】
この発明によると、アップロードした画像と携帯電話機で選択した構成要素に基づいて固有の待ち受けアプリケーションが携帯電話機に送信される。従って、携帯電話機のユーザは好みの画像と構成要素を組み合わせた固有の待ち受けアプリケーションを作成できる。
【０００６】
請求項２に係る発明は、請求項１に記載のサーバにおいて、前記送信手段は前記受け付けた画像及び前記構成要素の選択結果を表象するデータを前記携帯電話機に送信する。
【０００７】
この発明によると、画像と構成要素の選択結果の組み合わせを、それらを表象するデータから確認でき、ユーザの意に沿わない待ち受けアプリケーションが送信される無駄を防ぐことができる。
【０００８】
請求項３に係る発明は、請求項２に記載のサーバにおいて、前記データは画像データ、グラフィックデータ又は音声データを含む。
【０００９】
この発明によると、画像と構成要素の選択結果の組み合わせを、それらを表象する画像、グラフィック、音声から確認できる。
【００１０】
請求項４に係る発明は、請求項２又は３に記載のサーバにおいて、前記固有の待ち受けアプリケーションの送信の可否を確認する入力を受け付ける確認画面を前記携帯電話機に表示させ、前記確認画面への確認入力操作に基づいて前記送信の可否を受け付ける送信確認手段をさらに備え、前記送信手段は前記確認画面への確認入力結果に基づいて前記固有の待ち受けアプリケーションを前記携帯電話機に送信する。
【００１１】
この発明によると、画像と構成要素の選択結果の組み合わせを、それらを表象するデータから確認し、その結果に応じて固有の待ち受けアプリケーションを送信させるか否かを選択することができる。従って、画像と構成要素の選択結果の組み合わせがユーザの意に沿わないのにもかかわらず待ち受けアプリケーションが送信されるのを防ぐことができる。
【発明の効果】
【００１２】
この発明によると、アップロードした画像と携帯電話機で選択した構成要素に基づいて固有の待ち受けアプリケーションが携帯電話機に送信される。従って、携帯電話機のユーザは好みの画像と構成要素を組み合わせた固有の待ち受けアプリケーションを作成できる。
【発明を実施するための最良の形態】
【００１３】
以下、添付した図面を参照し本発明の好ましい実施の形態を説明する。
【００１４】
＜第１実施形態＞
［概略構成］
図１は、本発明の好ましい実施形態に係る画像サービスシステムのブロック構成図である。このシステムは、インターネットなどのネットワーク４に接続されたサービスサーバ１と、携帯電話機２と、携帯電話機２と無線接続し、携帯電話機２をネットワーク４に接続させる無線基地局３とを備えている。サービスサーバ１は、データベース（ＤＢ）１０、アプリ作成部１１、受信部１２及び送信部１３を有している。
【００１５】
図２は、携帯電話機２の機能ブロック図である。携帯電話機２は、カメラ部２０１、画像メモリ２０２、圧縮伸張部２０３、メモリ２０４、表示部２０５、プロトコル変換部２０６、無線通信部２０７、操作部２０８、制御部２０９、再生部２００を有している。なお、通常の携帯電話機として機能するためのマイクやスピーカ等も設けられているが、図２では省略している。制御部２０９は、携帯電話機２の各回路ブロックと接続されており、テンキーなどの操作キーを含む操作部２０８から入力される指示信号に基づいて各ブロックを制御する。操作部２０８に設けられたシャッターボタンが押下されると制御部２０９はカメラ部２０１に撮像の開始を指示し、カメラ部２０１はこれに応じて撮像を行う。カメラ部２０１は撮像された画像情報を電子画像データに変換して画像メモリ２０２に記憶する。画像メモリ２０２の画像データは液晶画面などで構成された表示部２０５に表示できる。この画像データは圧縮伸張部２０３で圧縮処理されてメモリ２０４に記憶される。メモリ２０４に記憶された画像データは、プロトコル変換部２０６において宛先情報（例えば受信部１２のＩＰアドレス）や一意的な差出人情報（例えば携帯電話機２に一意的に割り当てられたユーザＩＤ）などをヘッダ情報に付加し、所定のプロトコルに従って無線通信部２０７に送られる。無線通信部２０７に送られた画像データは、アンテナ２１０から無線基地局３を介して受信部１２などに送信される。差出人情報はメモリ２０４の一態様であるＲＯＭに記憶されている。再生部２００はメモリ２０４に記憶されたデジタル音声データに基づいて音声を図示しないスピーカから再生する。
【００１６】
携帯電話機２は、特定のＵＲＬ（Uniform Resource Locator）で指定される送信部１３にアクセスしてＪａｖａ（登録商標）アプリケーション等の各種アプリケーションをＤＢ１０からダウンロードしてメモリ２０４に保存する機能を有する。制御部２０９は、メモリ２０４に保存したアプリケーションを実行する。本実施形態において、ＤＢ１０からダウンロードされたアプリケーションは、一旦起動すると携帯電話機２の電源が入っている状態すなわち動作中は常に実行される常駐アプリケーションである。以下、このアプリケーションを待ち受けアプリケーションという。待ち受けアプリケーションのダウンロードは、特定の携帯電話機２だけが行えるようにしてもよいし、どの携帯電話機２からダウンロードできるようにしてもよい。例えば、サービスサーバ１に認証サーバを設けておき、ユーザＩＤやパスワードなどで認証を受けた携帯電話機２だけが待ち受けアプリケーションをダウンロードできるようにしてもよい。また、待ち受けアプリケーションのダウンロードの方法も任意であり、例えば送信部１３が待ち受けアプリケーションのダウンロードサイトとなるＵＲＬをハイパーリンクしたメールを上記の認証を受けた携帯電話機２に送信してもよい。そして、携帯電話機２がこのメールを受信し、メールのハイパーリンクから送信部１３にアクセスして待ち受けアプリケーションをダウンロードできるようにしてもよい。また、受信部１２は携帯電話機２から画像データのアップロードを受け付け、アップロードされた画像データをＤＢ１０に記憶するが、ネットワーク４に接続されたパソコンなどからデジタルカメラで撮影した画像のアップロードを受け付けてＤＢ１０に記憶してもよい。
【００１７】
本実施形態においてサービスサーバ１から携帯電話機２に送信される待ち受けアプリケーションは、現在時刻を表示させる時計アプリケーションである。即ち、図３（ｂ）及び図５に示すように、時計アプリケーションは、時計針Ｈを時刻の経過に従って文字盤Ｆ上に描画することで現在時刻を表示する現在時刻表示制御部２１５、設定時刻にアラーム音を再生部２００から再生させるアラーム部２１６、アラーム音の再生時には特殊な画像を表示部２０５に表示させるエフェクト部２１７として制御部２０９を機能させる。アラーム音の再生時刻の設定は操作部２０８から受け付けられる。
【００１８】
［待ち受けアプリケーション送信処理］
次に、図４に従い、サービスサーバ１と携帯電話機２との間で実行される待ち受けアプリケーション送信処理の流れを説明する。この処理では、図５に示すように、時計アプリケーションの構成要素となる文字盤Ｆ・時計針Ｈ・ケースＣ（以下これらをまとめてパーツＰという）・アラーム音・アラーム音拡声時のエフェクト選択、及び文字盤Ｆの背景となる画像Ｉを操作部２０８への操作で受け付け、その選択結果をサービスサーバ１に通知するアプリケーションである待ち受けアプリケーション作成アプリケーションを携帯電話機２に送信し、待ち受けアプリケーション作成アプリケーションは時計アプリケーションの構成要素及び画像を選択させてその結果をサービスサーバ１に通知し、サービスサーバ１は選択された構成要素及び画像に対応した時計アプリケーションを携帯電話機２に送信する。以下、待ち受けアプリケーション作成アプリケーションを単に作成アプリケーションという。
【００１９】
Ｓ１では、携帯電話機２は、作成アプリケーションの送信を要求する。Ｓ２では、携帯電話機２の送信要求に応じ、送信部１３はＤＢ１０に記憶されている作成アプリケーションを携帯電話機２に送信する。Ｓ３では、携帯電話機２は受信した作成アプリケーションをメモリ２０４に保存し、制御部２０９はメモリ２０４の作成アプリケーションを起動する。作成アプリケーションの起動は受信終了とともに開始してもよいし、操作部２０８の所定操作により開始してもよい。以後、図３（ａ）に示すようにメモリ２０４に記憶された作成アプリケーションは、起動されると、制御部２０９を画像選択部２１１、パーツ選択部２１２、アラーム音選択部２１３及びエフェクト選択部２１４として機能させる。
【００２０】
Ｓ４では、画像選択部２１１は文字盤Ｆの背景となる画像Ｉのサンプル画像の送信を要求する。Ｓ５では、送信部１３はサンプル画像を携帯電話機２に送信する。サンプル画像は、例えば、カメラ部２０１や図示しないデジタルカメラなどで撮影し無線通信部２０７からサービスサーバ１の受信部１１に送信されＤＢ１０に記憶されたオリジナル画像を、携帯電話機２の表示部２０５で認識できる程度に圧縮、リサイズ、形状変更などの各種加工を施した画像Ｉである。オリジナル画像及びサンプル画像は互いに対応づけられてＤＢ１０に記憶されており、サンプル画像は対応するオリジナル画像を特定できる一意的な識別子を画像ファイルのヘッダなどに有している。Ｓ６では、画像選択部２１１は受信したサンプル画像をメモリ２０４に保存し、サンプル画像を表示部２０５に表示させる。サンプル画像が複数の場合は操作部２０８の操作により表示されるサンプル画像を切り替えてもよい。画像選択部２１１は表示したサンプル画像の中から所望のサンプル画像を操作部２０８の操作により受け付ける。Ｓ７では、画像選択部２１１は選択を受け付けたサンプル画像に対応したオリジナル画像の識別子をサービスサーバ１に通知する。
【００２１】
Ｓ８では、パーツ選択部２１２はパーツＰを表すサンプル画像の送信をサービスサーバ１に要求する。Ｓ９では、送信部１３はパーツＰを表すサンプル画像を携帯電話機２に送信する。パーツＰを表すサンプル画像とは、例えば短針、長針及び秒針からなる時計針Ｈの画像、文字盤Ｆの画像、ケースＣの画像など、待ち受け時計の構成要素としてグラフィック表示されるパーツＰを表象する画像である。従って、実際の待ち受け時計の起動時は例えば時計針Ｈは時間の経過に従ってアプリケーションが表示部２０５に描画するとしても、短針のサンプル画像は例えば０秒を指す静止画像であってよい。Ｓ１０では、パーツ選択部２１２は受信したサンプル画像をメモリ２０４に保存し、サンプル画像を表示部２０５に表示させる。サンプル画像が複数の場合は操作部２０８の操作により表示されるサンプル画像を切り替えてもよい。パーツ選択部２１２は表示したサンプル画像の中から所望のサンプル画像を操作部２０８の操作により受け付ける。Ｓ１１では、パーツ選択部２１２は選択を受け付けたサンプル画像に対応したパーツＰの識別子をサービスサーバ１に通知する。なお、パーツＰの識別子は上記と同様サンプル画像ファイルのヘッダに記憶されており、待ち受けアプリケーションは通知された識別子に対応したパーツＰの描画を行う。
【００２２】
Ｓ１２では、アラーム音選択部２１３はアラーム音を再生させるデジタルデータ（アラーム音データ）の送信をサービスサーバ１に要求する。Ｓ１３では、送信部１３はＤＢ１０に記憶されているアラーム音データを携帯電話機２に送信する。Ｓ１４では、アラーム音選択部２１３は受信したアラーム音データをメモリ２０４に保存し、再生部２００はアラーム音データに基づいてアラーム音を再生させる。アラーム音が複数の場合は操作部２０８の操作により再生させるアラーム音を切り替えてもよい。アラーム音選択部２１３は所望のアラーム音を操作部２０８の操作により受け付ける。Ｓ１５では、アラーム音選択部２１３は選択を受け付けたアラーム音の識別子をサービスサーバ１に通知する。アラーム音の識別子は上述と同様アラーム音データのヘッダに記憶されている。
【００２３】
Ｓ１６では、エフェクト選択部２１４はエフェクトの一覧文書をサービスサーバ１に要求する。Ｓ１７では、送信部１３はＤＢ１０に記憶されている一覧文書を携帯電話機２に送信する。Ｓ１８では、エフェクト選択部２１４は受信した一覧文書をメモリ２０４に保存し、エフェクト選択部２１４は一覧文書を表示部２０５に表示させる。エフェクト選択部２１４は一覧文書で表されるエフェクトから所望のエフェクトを操作部２０８の操作により受け付ける。Ｓ１９では、エフェクト選択部２１４は選択を受け付けたエフェクトの識別子をサービスサーバ１に通知する。エフェクトの識別子は例えばＨＴＭＬで記述された一覧文書の各エフェクトに対応してハイパーリンクとして埋め込まれている。
【００２４】
Ｓ２０では、アプリ作成部１１は、Ｓ１１で選択されたパーツＩＤで特定されるパーツＰで現在時刻を表示し、Ｓ７で通知された画像ＩＤで特定される画像ＩをパーツＰの背景として表示し、Ｓ１５で通知されたアラーム音ＩＤで特定されるアラーム音を設定時刻に再生し、かつ、Ｓ１９で通知されたエフェクトＩＤで特定されるエフェクトをアラーム音の再生時に表示する時計アプリケーションを作成する。Ｓ２１では、送信部１３はＳ１２で作成した時計アプリケーションを携帯電話機２に送信する。携帯電話機２は受信した時計アプリケーションをメモリ２０４に記憶する。なお、考えられうる全ての画像Ｉ、パーツＰ、アラーム音及びエフェクトの組み合わせに対応した機能を有する時計アプリケーションを予めＤＢ１０に記憶させておき、通知された画像ＩＤ、パーツＩＤ、アラーム音ＩＤ、エフェクトＩＤに対応する機能を有する時計アプリケーションをＤＢ１０から特定して送信してもよい。また、時計アプリケーションを送信する前に、図５のような画像ＩとパーツＰの組み合わせを示したサンプル画像を携帯電話機２に送信して表示部２０５に表示させ、ユーザが表示内容を確認して送信を承諾する旨の入力を操作部２０８から行った場合に時計アプリケーションを送信してもよい。
【００２５】
以上の処理により、携帯電話機２で所望の画像Ｉ、パーツＰ、アラーム音、エフェクトを選択し、選択した機能を有する時計アプリケーションが送信されるため、ユーザの好みに合った時計アプリケーションを提供することが可能となる。
【００２６】
＜その他の実施形態＞
待ち受けアプリケーション作成アプリケーションは、第１実施形態のような時計アプリケーション以外に、各種の待ち受けアプリケーションの構成要素を選択させることができる。例えば、待ち受けアプリケーションが現在の年、月、日、曜日を表示部２０５に表示させるカレンダーアプリケーションである場合、パーツ選択部２１２はカレンダーの構成要素である年、月、日、曜日の字体や文字の色などの修飾をパーツとして選択させ、選択されたパーツの識別子をサービスサーバ１に通知する。画像選択部２１１は現在の年、月、日、曜日の表示の背景として表示させる画像を第１実施形態と同様に選択させ画像の識別子を通知する。サービスサーバ１は通知された識別子で識別される構成要素及び画像を有するカレンダーアプリケーションを作成して携帯電話機２に送信する。本実施形態ではアラーム音選択部２１３及びエフェクト選択部２１４はメモリ２０４に記憶しなくてもよいが、エフェクト選択部２１４は誕生日などの特定の日付に表示させる画像をエフェクトとして選択させてもよい。
【図面の簡単な説明】
【００２７】
【図１】本発明の好ましい実施形態に係る画像サービスシステムのブロック構成図
【図２】携帯電話機の機能ブロック図
【図３】待ち受けアプリケーション作成アプリケーション及び時計アプリケーションの機能ブロック図
【図４】待ち受けアプリケーション送信処理の流れを示すフローチャート
【図５】時計アプリケーションの構成要素を示す図
【符号の説明】
【００２８】
１：サービスサーバ、２：携帯電話機
【図１】
2005260688.tif 000003
【図２】
2005260688.tif 000004
【図３】
2005260688.tif 000005
【図４】
2005260688.tif 000006
【図５】
2005260688.tif 000007